(57)【要約】【課題】  下枠と縦枠との接合部における止水性に優れた建具を提供する。【解決手段】  下枠及び縦枠を有する枠体と、当該枠体に開閉自在に設けた障子と、を有し、前記縦枠は、縦枠本体と、前記縦枠本体から延出され下端が当該縦枠本体の下端より上方に位置する延出部と、を有し、前記縦枠と前記下枠とは、前記延出部の下端と前記下枠との間に中間部材を介するとともに、前記延出部及び前記下枠と前記中間部材との間に、弾性を有するシール材が介在されている。【選択図】図４
2013002248.tif 000002
【特許請求の範囲】
【請求項１】
下枠及び縦枠を有する枠体と、当該枠体に開閉自在に設けた障子と、を有し、
前記縦枠は、縦枠本体と、前記縦枠本体から延出され下端が当該縦枠本体の下端より上方に位置する延出部と、
を有し、
前記縦枠と前記下枠とは、前記延出部の下端と前記下枠との間に中間部材を介するとともに、前記延出部及び前記下枠と前記中間部材との間に、弾性を有するシール材が介在されていることを特徴とする建具。
【請求項２】
請求項１に記載の建具であって、
前記中間部材は、前記下枠に載置される下枠載置面と、前記下枠の見付け方向における端部と対向する下枠対向部と、を有しており、前記下枠と前記中間部材との間に介在されている前記シール材は、前記下枠の上面から前記端部にわたって設けられていることを特徴とする建具。
【請求項３】
請求項１または請求項２に記載の建具であって、
前記中間部材は、前記延出部の下端との間に前記シール材が介在される延出部載置面と、前記下枠の見付け方向における端部との間に前記シール材が介在される下枠対向面と、を有しており、
前記延出部載置面及び前記下枠対向面は、それぞれ前記延出部及び前記下枠の肉厚より広い面積を有していることを特徴とする建具。
【請求項４】
請求項１乃至請求項３のいずれかに記載の建具であって、
前記中間部材の上部には、前記延出部の下端が収容される収容部を有し、
前記延出部は、前記収容部内にて、前記延出部載置面上に設けられた前記シール材に当接されていることを特徴とする建具。
【発明の詳細な説明】
【技術分野】
【０００１】
本発明は、二つの空間の境界部に設けられ、上下に配置された上枠及び下枠と接合される縦枠を有する枠体を備えた建具に関する。
【背景技術】
【０００２】
二つの空間の境界部に設けられ、上下に配置された上枠及び下枠と接合される縦枠を有する枠体を備えた建具としては、例えば、二つの空間としての浴室内及び浴室外の境界部に設けられ、縦枠に設けられたタイト材保持枠の下端部と下枠に設けられた床タイト材との間のコーナー部に止水ピースが設けられているドア付出入り部が知られている。この止水ピースは、補助タイト材が取り付けられて縦枠に取り付けられている。このような、ドア付出入り部は、下枠の上面に縦枠の下端が直接当接されて固定されるとともに、浴室外となる脱衣室側への漏水を防止するための止水ピースが下枠上に配置されて縦枠に固定されている。
【先行技術文献】
【特許文献】
【０００３】
【特許文献１】特開２００２−１４７１３７号公報
【発明の概要】
【発明が解決しようとする課題】
【０００４】
しかしながら、ドア付出入り部のように、下枠の上面に縦枠の下端が直接当接されて固定されている場合には、たとえ止水ピースが設けられていても、下枠や縦枠の変形等が生じると、下枠と縦枠との接合部における止水性が低下する虞があるという課題がある。
【０００５】
本発明は、かかる課題に鑑みてなされたものであり、その目的とするところは、下枠と縦枠との接合部における止水性に優れた建具を提供することにある。
【課題を解決するための手段】
【０００６】
かかる目的を達成するために本発明の建具は、下枠及び縦枠を有する枠体と、当該枠体に開閉自在に設けた障子と、を有し、前記縦枠は、縦枠本体と、前記縦枠本体から延出され下端が当該縦枠本体の下端より上方に位置する延出部と、を有し、前記縦枠と前記下枠とは、前記延出部の下端と前記下枠との間に中間部材を介するとともに、前記延出部及び前記下枠と前記中間部材との間に、弾性を有するシール材が介在されていることを特徴とする建具である。
【０００７】
このような建具によれば、延出部の下端は縦枠本体の下端より上方に位置し、縦枠と下枠とは、延出部の下端と下枠との間に中間部材を介するとともに、延出部及び下枠と中間部材との間に、弾性を有するシール材が介在されているので、たとえ縦枠や下枠に歪みが生じても、延出部と中間部材との間及び下枠と中間部材との間に介在されたシール材の弾性によりシール性が維持される。このため、下枠と縦枠との接合部の止水性を確保することが可能であり、下枠と縦枠との接合部における止水性に優れた建具を提供することが可能である。
【０００８】
かかる建具であって、前記中間部材は、前記下枠に載置される下枠載置面と、前記下枠の見付け方向における端部と対向する下枠対向部と、を有しており、前記下枠と前記中間部材との間に介在されている前記シール材は、前記下枠の上面から前記端部にわたって設けられていることが望ましい。
【０００９】
このような建具によれば、中間部材と下枠との間では、下枠載置面と下枠の上面との間、及び、下枠対向部と下枠の端部との間に、それぞれシール材が介在されているので、より高い止水性を備えることが可能である。
【００１０】
かかる建具であって、前記中間部材は、前記延出部の下端との間に前記シール材が介在される延出部載置面と、前記下枠の見付け方向における端部との間に前記シール材が介在される下枠対向面と、を有しており、前記延出部載置面及び前記下枠対向面は、それぞれ前記延出部及び前記下枠の肉厚より広い面積を有していることが望ましい。
【００１１】
このような建具によれば、延出部載置面及び下枠対向面の面積を、それぞれ延出部及び下枠の肉厚より広くすることにより、延出部及び下枠の肉厚よりも広い面積のシール材を採用できるため、延出部及び下枠が変形したとしても、シール材から外れ難くすることが可能であり、もって延出部及び下枠が変形しても止水性を維持することが可能である。
【００１２】
かかる建具であって、前記中間部材の上部には、前記延出部の下端が収容される収容部を有し、前記延出部は、前記収容部内にて、前記延出部載置面上に設けられた前記シール材に当接されていることが望ましい。
【００１３】
このような建具によれば、延出部の下端は中間部材の上部に設けられた収容部に収容されているので、延出部と中間部材との間からの漏水を確実に防止することが可能である。また、延出部の下端は、収容部内の延出部載置面上に設けられたシール材と収容部内にて当接しているので、延出部と中間部材との間をより確実に止水することが可能である。
【発明の効果】
【００１４】
本発明によれば、下枠と縦枠との接合部における止水性に優れた建具を提供することが可能である。
【図面の簡単な説明】
【００１５】
【図１】本実施形態に係る建具を脱衣室側から見た正面図である。
【図２】本実施形態に係る建具の水平断面図である。
【図３】本実施形態に係る建具の縦断面図である。
【図４】縦枠と下枠との接合部の構成を説明するための斜視図である。
【図５】縦枠と下枠との接合部を浴室側から見た斜視図である。
【図６】コーナー部材を示す斜視図である。
【発明を実施するための形態】
【００１６】
以下、本発明の一実施形態に係る建具について図を参照して説明する。  
本実施形態に係る建具１０は、図１〜図３に示すような、２つの空間としての浴室と脱衣室の境界部に設けられ、下枠１３及び下枠１３と接合される縦枠１４を有する枠体１１と、二つの空間のうちの一方の空間としての浴室側にて枠体１１に回動自在に設けられて、浴室と脱衣室とを連通する開口１０ａを閉止可能な障子２０と、を備えた浴室用の建具１０を例に挙げて説明する。
【００１７】
以下の説明においては、建物等に取り付けられた状態の浴室用の建具１０を脱衣側から見たときに、上下となる方向を上下方向、左右となる方向を左右方向または見付け方向、浴室内外方向である奥行き方向を見込み方向として示す。また、浴室用の建具１０が備える各部材は、単体として説明する場合であっても、建物等に取り付けられた状態で上下方向、見付け方向、見込み方向等となる方向にて方向を特定して説明する。
【００１８】
枠体１１は、開口１０ａの上縁をなす上枠１２と、開口１０ａの下縁をなす下枠１３と、開口１０ａの左右の縁をなす左右の縦枠１４と、下枠１３と左右の縦枠１４との間にそれぞれ介在される中間部材としてのコーナー部材３０と、を有している。そして、上下に間隔を隔てて対向する上枠１２及び下枠１３の両端にそれぞれ縦枠１４が突き当てられるとともに、縦枠１４をそれぞれ見付け方向に貫通するビスが上枠１２及び下枠１３に螺合されて矩形状に枠組みされている。このとき、縦枠１４の下端側の一部が切り欠かれており、この切り欠かれた部位の下端と下枠１３との間にコーナー部材３０が介在されている。ここで、上枠１２、下枠１３、縦枠１４は、いずれもアルミニウム製の押出成形部材でありほぼ均一の肉厚をなすように薄肉状に形成されている。尚、上枠１２、下枠１３、縦枠１４はアルミニウム製の押出成形部材に限らず、他の成形方法によって成形されたものでもよく、また、樹脂製であってもよい。
【００１９】
上枠１２には、下側に垂設されて閉止された障子２０の上框２０ａの他方の空間としての脱衣室側に臨む面と対向する上枠壁部１２ａを有しており、上枠壁部には閉止された障子２０に当接される上止水部材１７が見付け方向に沿って設けられている。
【００２０】
下枠１３は、浴室側にて防水パン７上に配置される浴室側下枠部１３ａと、脱衣室側にて床５の端部を覆う脱衣室側下枠部１３ｂとを有し、浴室側下枠部１３ａと脱衣室側下枠部１３ｂの一部とが見付け方向に連通する中空部１３ｃを形成している。脱衣室側下枠部１３ｂの上面は、浴室側下枠部１３ａの上面より高く形成されており、浴室側下枠部１３ａの上面は、脱衣室側から浴室側に向かって漸次低くなるように湾曲している。また、浴室側下枠部１３ａと脱衣室側下枠部１３ｂとの間に位置する浴室側下枠部１３ａの上面の脱衣室側には閉止された障子２０に当接される下止水部材１８が嵌合される下嵌合部１３ｄが見付け方向に沿って設けられている。
【００２１】
左右の縦枠１４は、互いに左右が反転した対称の構造をなしている。このため、ここでは左右の縦枠１４の同一部位に同符号を付し、脱衣室側から見て左側に位置する縦枠１４を例に挙げて説明する。
【００２２】
左の縦枠１４は、図４、図５に示すように、上下方向に連通する平断面が矩形状をなす中空部１５ａを有し、下枠１３の浴室側下枠部１３ａの左側端部が側部に当接される縦枠本体１５と、縦枠本体１５において枠体１１の内周側に位置する面の脱衣室側から延出された延出部１６とを有している。つまり、延出部１６は、縦枠本体１５に対して、見込み方向に延出する部位と開口１０ａの中央側に向かって延出する部位とを有して形成されている。
【００２３】
延出部１６は、縦枠本体１５の矩形状をなす中空部１５ａの、開口１０ａの中央側及び脱衣室側の角部近傍から、見付け方向に開口１０ａの中央側に延出されて浴室に臨む面を有する縦枠壁部１６ａと、縦枠壁部１６ａの先端から脱衣室側に延出されて湾曲し、額縁８に固定される湾曲壁部１６ｂと、を有している。
【００２４】
縦枠壁部１６ａの先端側、すなわち開口１０ａの中央側には、上下方向に沿って設けられ、閉止された障子２０（図２）に当接して止水する縦止水部材１９（図２）が嵌め込まれる縦嵌合部１６ｃが浴室側の面に設けられている。
【００２５】
湾曲壁部１６ｂは、縦枠壁部１６ａの先端から脱衣室側に延出され、開口１０ａの外側に向かって漸次脱衣室側に位置するように湾曲させて形成されている。湾曲壁部１６ｂの脱衣室側の部位は、枠体１１の外周側に設けられている額縁８（図２）と見付け方向に僅かに間隔を隔てて対向しており、湾曲壁部１６ｂの脱衣室側の端部は、開口１０ａの外周側に屈曲されて、先端が額縁８に当接されている。
【００２６】
延出部１６の下端１６ｄは、縦枠本体１５の下端１５ｂより上方に位置している。具体的には、たとえば、押出成形されて適宜長さに切断された縦枠素材の、延出部１６の下端となる側の部位が切除されて縦枠１４が形成されている。
【００２７】
そして、縦枠１４と下枠１３とが接合される際に、縦枠１４の切除された部位、すなわち切り欠かれている部位にコーナー部材３０がシール材３８、３９と共に介在される。
【００２８】
コーナー部材３０は、図６に示すように、上部に延出部１６の下端１６ｄを収容する収容凹部３１を有するブロック状なす樹脂製の成形部品である。コーナー部材３０の下端部は、下枠１３の脱衣室側下枠部１３ｂ上と下嵌合部１３ｄ上とに載置される下枠載置面３２ａを有する下枠載置部としての本体部３２と、本体部３２より額縁８側にて下方に突出され、脱衣室側下枠部１３ｂの見付け方向における端が当接される下枠対向面３３ａを有する下枠対向部３３と、を有している。
【００２９】
また、コーナー部材３０の上部から下端部に向かって断面積（本実施形態では水平断面積）が開口１０ａの中央側に漸次広がるように湾曲した湾曲周面３４と、額縁８に対向する鉛直壁面３５と、を有し、浴室側には、延出部１６の下端が収容凹部３１に収容された際に、縦嵌合部１６ｃから繋がっている縦止水部材１９（図２）が嵌め込まれる嵌合溝３６が設けられている。
【００３０】
収容凹部３１は、縦枠１４の湾曲壁部１６ｂの外周の輪郭と縦嵌合部１６ｃの浴室に臨む面に沿う線とを繋いだ形状の縁部３１ａが上方に突出されて内側が窪んだ形状をなしており、縦枠１４の延出部１６の下端が収容されるように形成されている。窪んでいる収容凹部３１の底をなす延出部載置面３７上には、収容凹部３１の底部の平面形状に合わせて形成され、延出部１６の肉厚より広い面積を有する上シール材３８が配置されている。
【００３１】
下枠１３と縦枠１４とを接合した際には、収容凹部３１の延出部載置面３７上に設けられた上シール材３８に縦枠１４の延出部１６の下端１６ｄが当接されて、延出部１６とコーナー部材３０との間の止水性が確保される。すなわち、延出部載置面３７と延出部１６の下端１６ｄとの間に上シール材３８が介在されており、延出部載置面３７と延出部１６の下端１６ｄとは上シール材３８に当接されている。ここで、上シール材３８には、縦止水部材１９が、縦枠１４の縦嵌合部１６ｃからコーナー部材３０の嵌合溝３６に渡って嵌合されるように切り欠き部３８ａが設けられている。
【００３２】
本体部３２の下枠載置面３２ａは平坦であって、下枠１３の脱衣室側下枠部１３ｂ上と下嵌合部１３ｄ上とに下シール材３９を介して載置される。
【００３３】
下枠対向部３３は、下枠載置面３２ａより下方に位置する下面３３ｂが、下枠１３の脱衣室側下枠部１３ｂの下縁と一致（若しくは、略一致）するように形成されており、下枠対向部３３の下面３３ｂと脱衣室側下枠部１３ｂの下縁とは、枠体１１が取り付けられた際に床５（図１）の上面に載置されるように構成されている。
【００３４】
また、下枠対向部３３の下枠対向面３３ａは平坦であって、下枠１３の見付け方向の端との間に下シール材３９が介在されており、下枠対向面３３ａと下枠１３の見付け方向の端は下シール材３９に当接されている。すなわち、下シール材３９の見付け方向に沿う方向に切断した縦断面は、下枠１３及び下枠載置面３２ａが当接する部位３９ａと、下枠１３及び下枠対向面３３ａが当接する部位３９ｂとが繋がって略Ｌ字状をなし、下シール材３９は下枠１３の上面から側部にわたって当接されるように形成されている。
【００３５】
そして、下枠１３と縦枠１４とを接合した際には、下枠１３の脱衣室側下枠部１３ｂ、下嵌合部１３ｄ、下枠載置面３２ａ、脱衣室側下枠部１３ｂの見付け方向の端部、及び、下枠対向面３３ａが、いずれも下シール材３９に当接されて、下枠１３とコーナー部材３０との間の止水性が確保される。ここで、下枠対向面３３ａは薄肉状に形成されている下枠１３の端の肉厚より広い面積を有しており、下シール材３９における下枠１３及び下枠対向面３３ａが当接する部位３９ｂも、下枠１３の端の肉厚より広い面積を有している。
【００３６】
ここで、上シール材３８と下シール材３９とが、延出部１６及び下枠１３とコーナー部材３０との間に介在される、弾性を有するシール材に相当し、軟質の樹脂である例えばゴムにて形成されている。
【００３７】
本実施形態の建具１０によれば、延出部１６の下端１６ｄは縦枠本体１５の下端１５ｂより上方に位置し、縦枠１４と下枠１３とは、延出部１６の下端１６ｄと下枠１３との間にコーナー部材３０を介するとともに、延出部１６及び下枠１３とコーナー部材３０との間に、弾性を有する上シール材３８及び下シール材３９が介在されている。このため、たとえ縦枠１４や下枠１３に歪みが生じていても、延出部１６とコーナー部材３０との間に介在された上シール材３８及び下枠１３とコーナー部材３０との間に介在された下シール材３９の弾性により変形が吸収されて隙間が生じ難い。このため、延出部１６及び下枠１３とコーナー部材３０との間のシール性が確保されるので、下枠１３と縦枠１４との接合部の止水性を確保することが可能であり、下枠１３と縦枠と１４の接合部における止水性に優れた建具１０を提供することが可能である。
【００３８】
また、コーナー部材３０と下枠１３との間では、本体部３２と下枠１３の上面との間、及び、下枠対向部３３と下枠１３の端部との間に介在される下シール材３９は、下枠１３と下枠載置面３２ａとが当接する部位３９ａと、下枠１３と下枠対向面３３ａとが当接する部位３９ｂとを有しているので、より高い止水性を備えることが可能である。
【００３９】
また、縦枠１４及び下枠１３はいずれも薄肉状に形成されているので、上シール材３８及び下シール材３９と広い面積で当接することは難しい。具体的には、上シール材及び下シール材が縦枠１４及び下枠１３の肉厚に合わせて狭い幅にて形成されていると、延出部１６及び下枠１３が上シール材及び下シール材に当接され難い。そこで、収容凹部３１の延出部載置面３７及び下枠対向面３３ａが、それぞれ延出部１６及び下枠１３の肉厚より広い面積を備えることで、延出部１６及び下枠１３の肉厚より広い面積を有した上シール材３８及び下シール材３９を設けることが可能となり、延出部１６及び下枠１３が変形したとしても、上シール材３８及び下シール材３９に当接された状態を維持させることが可能である。このため、延出部１６及び下枠１３が変形しても止水性を維持することが可能である。
【００４０】
また、延出部１６の下端１６ｄはコーナー部材３０の上部に設けられた収容凹部３１に収容されているので、延出部１６とコーナー部材３０との間からの漏水を確実に防止することが可能である。また、延出部１６の下端１６ｄは収容凹部３１内に設けられた上シール材３８と収容凹部３１内にて当接しているので、延出部１６とコーナー部材３０との間をより確実に止水することが可能である。
【００４１】
上記実施形態においては、浴室建具を例に挙げて説明したが、これに限るものではない。例えば、屋内外の境界部に設けられる建具であっても構わない。この場合には、水が侵入する方向が本願と逆になる。すなわち、浴室建具の場合には、浴室側の水が脱衣室側、すなわち浴室内側から浴室外側への水の浸入を防止するが、屋内外の境界に設けられる建具の場合には、屋外側から屋内側への水の浸入を防止することになる。
【００４２】
また、上記実施形態においては、縦枠１４の縦枠本体１５が矩形状をなす中空部１５ａを備えていたが、これに限ることなく、中空部を備えていない形状であってもよい。
【００４３】
また、上記実施形態においては、延出部１６が、見付け方向に開口１０ａの中央側に延出されて浴室に臨む面を有する縦枠壁部１６ａと、縦枠壁部１６ａの先端から脱衣室側に延出されて湾曲し、額縁８に固定される湾曲壁部１６ｂと、を有しているとしたが、これに限るものではない。
【００４４】
例えば、縦枠壁部１６ａの先端から脱衣室側に延出される壁部（前記実施形態では湾曲壁部１６ｂに相当する部位）を湾曲形状とせず、額縁８に向かって漸次接近するような直線形状や、脱衣室側に向かって見込み方向と平行に延出した後に額縁８に向かって見付け方向と平行に延出する略Ｌ字形状等であってもよい。
【００４５】
また、縦枠壁部１６ａの基端部（中空部１５ａ側端部）と湾曲壁部１６ｂ（湾曲しない壁部でもよい）の額縁８側先端部とにわたって見込み方向に平行な額縁側壁部を設け、縦枠壁部１６ａと湾曲壁部１６ｂと額縁側壁部とによって中空部を形成する形状であってもよい
なお、コーナー部材３０の形状も延出部１６の形状に合わせて形状を適宜設定すればよいため、湾曲周面３４に相当する部位もその形状に合わせて直線形状等にしても良い。
【００４６】
また、上記実施形態においては、枠体に障子を回動自在に設けた建具を例に挙げて説明したが、これに限るものではない。例えば、枠体に対して見付け方向にスライド開閉自在に障子を設けた建具でもよく、また、一対の障子からなる折戸を枠体に対して開閉自在に設けた建具などであってもよい。
【００４７】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４８】
１０  建具、１０ａ  開口、１１  枠体、１３  下枠、
１４  縦枠、１５  縦枠本体、１５ｂ  縦枠本体の下端、
１６  延出部、１６ｃ  縦嵌合部、１６ｄ  延出部の下端、
１９  縦止水部材、２０  障子、３０  コーナー部材、
３１  収容凹部、３２  本体部、３２ａ  下枠載置面、
３３  下枠対向部、３７  延出部載置面、３８  上シール材、
３９  下シール材、３９ａ  下枠及び下枠載置面が当接する部位、
３９ｂ  下枠と下枠対向面とが当接する部位
【図１】
2013002248.tif 000003
【図２】
2013002248.tif 000004
【図３】
2013002248.tif 000005
【図４】
2013002248.tif 000006
【図５】
2013002248.tif 000007
【図６】
2013002248.tif 000008